(57)【要約】【課題】熱交換器に流れる空気の量を均一化することにより熱交換効率を向上した空気調和機を提供することを目的としている。【解決手段】吸込ダクト６に連通する前記吸込口７に臨ませて、ファンケーシング２ａの上側と背面側を囲んで仕切ると共に、前記吸込ダクトから供給される空気を分流して前記ファンケーシングのそれぞれの吸気孔２ｂに均等に分配する略Ｌ字状の分流板１５を着脱自在に取り付けたので、吸込ダクトを介して流入した空気は前記分流板により分流され、複数の吸気孔に均等に分配されるので、送風口１０から熱交換器室４ａに空気を均一に送風することができ、熱交換効率を向上するができると共に、吹出ダクト１３に均一な温度で均一な風量の調和空気を送風し、使用者に不快感を与えないようにすることができる。【選択図】  図１
2005003278.tif 000002
【特許請求の範囲】
【請求項１】
筐体内部を、送風口を備えた仕切板により熱交換器室と送風機室とに区画し、同送風機室に、前記送風口に吹出側を連通し内部にファンモータにより駆動する遠心ファンを収容し、同遠心ファンの回転軸方向のそれぞれに吸気孔を備えるファンケーシングを配設し、前記熱交換器室に熱交換器を配設するとともに、前記熱交換器室の前記仕切板と対向する面に吹出ダクトに連通する吹出口を備え、前記送風機室の前記仕切板と直交する面に吸込ダクトに連通する吸込口を備えてなる空気調和機において、
前記吸込口側のファンケーシングを囲むと共に、前記吸込口から供給される空気を分流して前記ファンケーシングの吸気孔に夫々分配する分流板を設けてなることを特徴とする空気調和機。
【発明の詳細な説明】
【０００１】
【発明の属する技術分野】
本発明は空気調和機に係り、詳しくは遠心ファンを収容したファンケーシングへの空気流入構造に関する。
【０００２】
【従来の技術】
図３は、従来の空気調和機の一例を示す断面図で、（Ａ）は側面から見た図、（Ｂ）は上面から見た図である。
以下図面を参照しながら、従来の空気調和機について説明する。
【０００３】
図において１は空気調和機本体、１１はファンモータ、２は遠心ファン、３は熱交換器、４は筐体である。
【０００４】
８は複数の送風口１０を備えた仕切板であり、前記筐体４の内部を熱交換器室４ａと送風機室４ｂとに区画し、同送風機室４ｂに、前記仕切板８の送風口１０に吹出側を連通し内部に前記ファンモータ１１により駆動する遠心ファン２を収容した複数のファンケーシング２ａを設け、前記熱交換器室４ａに、気流方向に対し後傾させ前記熱交換器３を配設する。（例えば、特許文献１参照）
【０００５】
吹出口９を前記筐体４の前面である前記熱交換器室４ａの前記仕切板８と対向する面に備え、吸込口７を前記送風機室４ｂの前記仕切板８と直交する一側面に備えている。
５はフイルタであり、前記吸込口７に備えられる。
６は吸込ダクトであり、前記筐体４の前記送風機室４ｂの一側面に設けられた前記吸込口７に連通している。
前記吹出口９は図示しない吹出ダクトに連通している。
【０００６】
ところで、前記ファンケーシング２ａは、その吸込孔２ｂが前記遠心ファン２の回転軸の方向に設けられ、吹出孔２ｃを前記仕切板８の送風口１０と連通させている。また、平坦状に形成された前記仕切板８の送風口１０は、前記吹出孔２ｃの前端縁に設けたフランジ部２ｄとネジで螺着し固定していた。
【０００７】
しかしながら、前記吸込ダクト６が、前記筐体４の前記送風機室４ｂの側面に設けられた前記吸込口７に連通している空気調和機においては、前記吸込ダクト６の反対側になるほど、同吸込ダクト６から順次遠くなり、吸気した空気量が少なく吸気効率が悪くなるため、反吸込ダクト６側の前記ファンケーシング２ａへの吸気量が不足し、反吸込ダクト６側の前記遠心ファン２からの十分な風量が得られない恐れがある問題を有していた。
【０００８】
【特許文献１】
特開平１１−１４１９０９号公報（第２ー３頁、第１図）
【０００９】
【発明が解決しようとする課題】
本発明においては、上記の問題点に鑑み、筐体内部を、送風口を備えた仕切板により熱交換器室と送風機室とに区画し、同送風機室に、前記送風口に吹出側を連通し内部にファンモータにより駆動する遠心ファンを収容し、同遠心ファンの回転軸方向のそれぞれに吸気孔を備えるファンケーシングを配設し、前記熱交換器室に熱交換器を配設するとともに、前記熱交換器室の前記仕切板と対向する面に吹出ダクトに連通する吹出口を備え、前記送風機室の前記仕切板と直交する面に吸込ダクトに連通する吸込口を備えてなる空気調和機において、
前記吸込口側のファンケーシングを囲むと共に、前記吸込口から供給される空気を分流して前記ファンケーシングの吸気孔に夫々分配する分流板を設けてなる構成となっている。
【００１０】
【発明の実施の形態】
図１は、本発明の空気調和機の一実施例を示す上面から見た要部断面図、図２は、同空気調和機の側面から見た要部断面図である。
以下、図面に基づいて本発明による空気調和機の実施例を詳細に説明する。
なお、従来と同じ部分の符号は同一とする。
【００１１】
図において１は空気調和機本体、１１はファンモータ、２は遠心ファン、３は熱交換器、４は筐体である。
８は複数の送風口１０を備えた仕切板であり、前記筐体４の内部を熱交換器室４ａと送風機室４ｂとに区画する。
【００１２】
そして、前記送風機室４ｂに、前記仕切板８の送風口１０に吹出側を連通し内部に前記ファンモータ１１により駆動する遠心ファン２を収容した複数のファンケーシング２ａを設け、前記熱交換器室４ａに、気流方向に対し後傾させ前記熱交換器３を配設する。
【００１３】
吹出口９を前記筐体４の前面である前記熱交換器室４ａの前記仕切板８と対向する面に備えている。
前記吹出口９は吹出ダクト１３に連通している。
また、吸込口７を前記送風機室４ｂの前記仕切板８と直交する両側面に備えている。
５はフイルタであり、６は前記両吸込口７の何れか一方に連通する吸込ダクトである。
前記フイルタ５は、前記吸込ダクト６に連通する吸込口７に備えられる。
前記吸込ダクト６に連通しない他側の吸込口７には蓋体１４が取り付けられる。
【００１４】
また、前記ファンケーシング２ａは、その吸込孔２ｂが前記遠心ファン２の回転軸の方向にそれぞれ設けられ、吹出孔２ｃを前記仕切板８の送風口１０と連通させている。
また、前記ファンケーシング２ａは、その吹出孔２ｃ側に設けたフランジ部２ｄに備える取付孔から前記仕切板８にネジ１２で固定されている。
【００１５】
また、前記送風機室４ｂには、前記吸込ダクト６に連通する前記吸込口７に臨ませて、分流板１５が着脱自在に取り付けられている。
前記分流板１５は、前記ファンケーシング２ａの上側と背面側を囲んで仕切るように略Ｌ字状に形成されると共に、前記吸込ダクト６から供給される空気を均等に分流するため先端部を内側に折曲して形成されている。
このようにして、前記分流板１５により分流された空気が前記ファンケーシング２ａのそれぞれの吸気孔２ｂに均等に分配されるようになっている。
また、前記分流板１５は、前記仕切板８側と筐体１側の端部に設けたフランジ部１５ａに備える取付孔から前記仕切板８および筐体１にネジ１２で固定している。
これらにより、空気調和機本体１を構成している。
【００１６】
以上の構成において、つぎにその動作を図１および図２を参照しながら説明する。
ファンモータ１１の作動により、前記吸気ダクト６を介して吸込口７から吸込まれた空気は、前記分流板１５により分流され、前記ファンケーシング２ａのそれぞれの吸気孔２ｂに均等に分配され、前記遠心ファン２により送風口１０から前記熱交換器室４ａに均一に吹出される。
前記熱交換器室４ａを均一に流通する空気は前記熱交換器３と熱交換して調和され、前記吹出口９から吹出され、前記吹出ダクト１３を介して室内に均一に送風される。
【００１７】
以上説明したように、吸込ダクト６に連通する吸込口７に臨ませて、ファンケーシング２ａの上側と背面側を囲んで仕切ると共に、前記吸込ダクト６から供給される空気を分流して前記ファンケーシング２ａのそれぞれの吸気孔２ｂに均等に分配する略Ｌ字状の分流板１５を着脱自在に取り付けたので、吸込ダクト６を介して流入した空気は前記分流板１５により分流され、２つの吸気孔２ｂに均等に分配されるので、送風口１０から熱交換器室４ａに空気を均一に送風し、熱交換器３に均一な空気を流通するので、熱交換効率を向上するができ、吹出ダクト１３に均一な温度で均一な風量の調和空気を送風して、使用者に不快感を与えないようにすることができる。
【００１８】
【発明の効果】
以上説明したように、本発明による空気調和機によれば、筐体の内部を、送風口を備えた仕切板により熱交換器室と送風機室とに区画し、同送風機室に、前記送風口に吹出側を連通し内部にファンモータにより駆動する遠心ファンを収容し、同遠心ファンの回転軸方向のそれぞれに吸気孔を備えるファンケーシングを配設し、前記熱交換器室に熱交換器を配設するとともに、前記熱交換器室の前記仕切板と対向する面に吹出ダクトに連通する吹出口を備え、前記送風機室の前記仕切板と直交する面に吸込ダクトに連通する吸込口を備えてなる空気調和機において、
前記吸込ダクトに連通する前記吸込口に臨ませて、前記ファンケーシングの上側と背面側を囲んで仕切ると共に、前記吸込ダクトから供給される空気を分流して前記ファンケーシングのそれぞれの吸気孔に均等に分配する略Ｌ字状の分流板を着脱自在に取り付けたので、吸込ダクトを介して流入した空気は前記分流板により分流され、複数の吸気孔に均等に分配されるので、送風口から熱交換器室に空気を均一に送風することができ、熱交換効率を向上するができると共に、吹出ダクトに均一な温度で均一な風量の調和空気を送風し、使用者に不快感を与えないようにすることができる。
【図面の簡単な説明】
【図１】本発明による空気調和機の一実施例を示す上面から見た要部断面図である。
【図２】本発明による空気調和機の一実施例を示す側面から見た要部断面図である。
【図３】従来の空気調和機を示す要部断面図で、（Ａ）は側面から見た図、（Ｂ）は上面から見た図である。
【符号の説明】
１  空気調和機本体
２  遠心ファン
２ａ  ファンケーシング
２ｂ  吸込孔
２ｃ  吹出孔
２ｄ  フランジ部
３  熱交換器
４  筐体
４ａ  熱交換器室
４ｂ  送風機室
５  フィルタ
６  吸込ダクト
７  吸込口
８  仕切板
９  吹出口
１０  送風口
１０ａ  膨出部
１０ｂ  フランジ部
１１  ファンモータ
１２  ネジ
１３  吹出ダクト
１４  蓋体
１５  分流板
１５ａ  フランジ部
【図１】
2005003278.tif 000003
【図２】
2005003278.tif 000004
【図３】
2005003278.tif 000005